(57)【要約】【課題】  取出口に連通する通路の詰まりが軽減可能な粒状物収納容器を提供する。【解決手段】粒状物収納容器１は、粒状物８０が収容される収容部３１を有して平面視矩形状の容器本体２９を有する。容器本体２９は、この一つの角部３０ａ、１１ａに形成された取出口４０と、収容部３１内に形成されて取出口４０側への粒状物８０の通路７５を形成する誘導部５０を有する。取出口４０は、角部３０ａを形成する一対の第２側壁３７に対して交差方向に沿って開口する開口部４１を有する。誘導部５０は、角部３０ａを形成する下側の第２側壁３７から収容部内側へ凸となる第１湾曲部５６を有した第１誘導部５５と、角部３０ａを形成する左側の第２側壁３７から収容部３１の内側へ突出する第２湾曲部６１を有する。第２湾曲部６１の後側端部には、左側の第２側壁３７側に凸となる第３湾曲部６３が繋がる。通路７５は、第１誘導部５５と第２誘導部６０との間に形成される。【選択図】  図３
2020070071.tif 000002
【特許請求の範囲】
【請求項１】
内部に粒状物が収容される収容部を有して平面視矩形状の容器本体を有し、
前記容器本体は、
前記容器本体の一つの角部に形成されて前記粒状物の取り出しが可能な取出口と、
前記収容部内に形成されて前記収容部内から前記取出口側への前記粒状物の通路を区画形成する誘導部と、を有し、
前記取出口は、平面視において前記角部を形成する前記容器本体の一対の側壁の夫々に対して交差する方向に沿って開口する開口部を有し、
前記誘導部は、
平面視において前記角部を形成する一方側の前記側壁から前記収容部の内側方向へ向かって凸となるとともに前記開口部側へ延びる第１湾曲部を有した第１誘導部と、
前記角部を形成する他方側の前記側壁から前記収容部の内側方向へ向かって突出する第２誘導部と、を有し、
前記通路は、平面視において前記第１誘導部と前記第２誘導部との間に形成され、
前記第２誘導部は、
平面視において前記収容部の内側方向へ向かって凸となる第２湾曲部と、
平面視において前記第２湾曲部の前記開口部側と反対側の端部に繋がって前記開口部側と前記反対側へ延びるとともに、前記角部を形成する他方側の前記側壁に向かって凸となる第３湾曲部と、を有する
ことを特徴とする粒状物収納容器。
【請求項２】
前記第２湾曲部の曲率半径は、前記第１湾曲部の曲率半径よりも小さい
ことを特徴とする請求項１に記載の粒状物収納容器。
【請求項３】
前記第２湾曲部の前記開口部側の端部は、平面視において直線状に延びる直線部に繋がり、
前記直線部の前記開口部側は、平面視において前記開口部側へ向かって延びる
ことを特徴とする請求項１又は２に記載の粒状物収納容器。
【請求項４】
前記直線部は、平面視において前記開口部の中心軸に沿って延びる
ことを特徴とする請求項３に記載の粒状物収納容器。
【請求項５】
前記容器本体は、平面視において長方形状であり、
前記容器本体の短辺側となる一方側の前記側壁の内側に前記第１誘導部が形成され、
前記容器本体の長辺側となる他方側の前記側壁の内側に前記第２誘導部が形成される
ことを特徴とする請求項１から４のいずれかに記載の粒状物収納容器。
【発明の詳細な説明】
【技術分野】
【０００１】
本発明は、粒状物収納容器に関する。
【背景技術】
【０００２】
錠菓等の粒状物を収容して携帯可能であり、粒状物を取出口から振り出す方式の粒状物収納容器が知られている。この種の粒状物収納容器は、例えば、特許文献１に記載されているように、内側に粒状物を収容する収容部を有して平面視において長方形状の容器本体と、内部が中空で容器本体を挿脱可能なケース体と、を有する。
【０００３】
容器本体は、平面視において長方形状の底板の周縁部に周壁が突出して、周壁の内側に収容部が形成される。収容部は、底板側と反対側が開口する。容器本体は、短辺側の周壁から長手方向一方側へ突出する取出口を有する。取出口は、収容部に連通し、底板側と反対側が開口する。取出口よりも容器本体の長手方向他方側の長手方向に延びる周壁の内側には、収容部内に突出して長手方向に延びるガイド板が形成される。
【０００４】
ガイド板の長手方向一方側には、取出口側へ傾斜する傾斜面が形成される。傾斜面と取出口との間には、粒状物が通過可能な通路が形成される。
【０００５】
収容部内の粒状物を取出口から取り出す場合には、ケース体に対して容器本体を長手方向一方側にスライド移動させて、取出口をケース体に形成された開口から突出させる。したがって、取出口はケース体から突出して露出する。取出口が露出した状態で、取出口の開口が下方へ向くようにケース体の向きを変えて、ケース体を上下方向に振ると、収容部内の粒状物がガイド板に沿って取出口内に移動して、取出口から粒状物を取り出すことができる。
【先行技術文献】
【特許文献】
【０００６】
【特許文献１】特開２００５−１７８９０２号公報
【発明の概要】
【発明が解決しようとする課題】
【０００７】
しかしながら、特許文献１に記載の粒状物収納容器は、ガイド板の傾斜面と取出口との間の通路は、１つの粒状物が通過可能な大きさを有しているので、複数の粒状物が通路の入り口に集中すると、通路が粒状物で詰まる虞がある。
【０００８】
本発明は、上記した従来技術における問題点を解消すべく、取出口に連通する通路が詰まりにくい粒状物収納容器を提供することを課題とする。
【課題を解決するための手段】
【０００９】
上記課題を解決するための手段のうち、本発明の主たる手段は、内部に粒状物が収容される収容部を有して平面視矩形状の容器本体を有し、前記容器本体は、前記容器本体の一つの角部に形成されて前記粒状物の取り出しが可能な取出口と、前記収容部内に形成されて前記収容部内から前記取出口側への前記粒状物の通路を区画形成する誘導部と、を有し、前記取出口は、平面視において前記角部を形成する前記容器本体の一対の側壁の夫々に対して交差する方向に沿って開口する開口部を有し、前記誘導部は、平面視において前記角部を形成する一方側の前記側壁から前記収容部の内側方向へ向かって凸となるとともに前記開口部側へ延びる第１湾曲部を有した第１誘導部と、前記角部を形成する他方側の前記側壁から前記収容部の内側方向へ向かって突出する第２誘導部と、を有し、前記通路は、平面視において前記第１誘導部と前記第２誘導部との間に形成され、前記第２誘導部は、平面視において前記収容部の内側方向へ向かって凸となる第２湾曲部と、平面視において前記第２湾曲部の前記開口部側と反対側の端部に繋がって前記開口部側と前記反対側へ延びるとともに、前記角部を形成する他方側の前記側壁に向かって凸となる第３湾曲部と、を有することを特徴とする粒状物収納容器と云うものである。
【００１０】
本願の上記構成は、角部を形成する一方側の側壁から収容部の内側方向へ向かって凸となるとともに開口部側へ延びる第１湾曲部を有した第１誘導部と、角部を形成する他方側の側壁から収容部の内側方向へ向かって突出する第２誘導部と、を有し、第２誘導部は、平面視において収容部の内側方向へ向かって凸となる第２湾曲部と、平面視において第２湾曲部の開口部側と反対側の端部に繋がって開口部側と前記反対側へ延びるとともに、角部を形成する他方側の側壁に向かって凸となる第３湾曲部と、を有する。このため、容器本体の姿勢を徐々に傾けて開口部が下方へ向いた（鉛直方向へ向いた）状態になると、収容部内の粒状物は、第１湾曲部及び第２湾曲部の少なくともいずれかに接触しながら第１湾曲部及び第２湾曲部間の通路に向かって誘導される。ここで、収容部内に多数の粒状物が存在する場合、第３湾曲部によって多数の粒状物を溜め込むことができる。このため、第２湾曲部よりも開口部側と反対側に溜まる粒状物が一気に開口部側へ移動する虞を抑制することができる。したがって、通路の手前で粒状物が詰まる虞を軽減することができる。
【００１１】
また、第２湾曲部の曲率半径は、第１湾曲部の曲率半径よりも小さくてもよい。
【００１２】
第２湾曲部の曲率半径を第１湾曲部の曲率半径よりも小さくすることで、第２湾曲部は、第１湾曲部と比較して容器本体の内側方向により尖った状態になる。このため、第２湾曲部は開口部側と反対側の曲面の傾きが増大する。このため、容器本体の姿勢を徐々に傾けて開口部が下方へ向いた（鉛直方向へ向いた）状態になると、第２湾曲部よりも開口部側と反対側に溜まる粒状物が第２湾曲部を乗り越え難くすることができる。
【００１３】
また、第２湾曲部の開口部側の端部は、平面視において直線状に延びる直線部に繋がり、直線部の開口部側は、平面視において開口部側へ向かって延びてもよい。
【００１４】
この場合、開口部が下方へ向くように容器本体を傾けて粒状物が第１湾曲部と第２湾曲部との間の通路に移動した場合、粒状物は、開口部側へ向かって延びる直線部に沿って移動する。このため、粒状物の開口部への流入を容易にすることができる。
【００１５】
また、直線部は、平面視において開口部の中心軸に沿って延びてもよい。
【００１６】
この場合、容器本体の姿勢を徐々に傾けて開口部が下方へ向いた（鉛直方向へ向いた）状態になって、粒状物が直線部に沿って落下しながら移動すると、粒状物の移動方向を開口部の中心軸に沿った方向にすることができる。このため、粒状物の開口部への流入をより容易にすることができる。
【００１７】
また、容器本体は、平面視において長方形状であり、容器本体の短辺側となる一方側の側壁の内側に第１誘導部が形成され、容器本体の長辺側となる他方側の側壁の内側に第２誘導部が形成されてもよい。
【００１８】
この場合、容器本体の短辺側となる一方側の側壁の内側に第１誘導部が形成され、容器本体の長辺側となる他方側の側壁の内側に第２誘導部が形成される。このため、収容部内に多数の粒状物が存在する状態で、容器本体の姿勢を徐々に傾けて開口部が下方へ向けた（鉛直方向へ向けた）場合、第２誘導部の第３湾曲部によって多数の粒状物の一部を溜め込むことができるので、第２湾曲部よりも開口部側と反対側に溜まる粒状物が一気に開口部側へ移動する虞を抑制することができる。したがって、通路の手前で粒状物が詰まる虞をより軽減可能な粒状物収納容器を提供することができる。
【発明の効果】
【００１９】
本発明によれば、取出口に連通する通路が詰まりにくい粒状物収納容器を提供することができる。
【図面の簡単な説明】
【００２０】
【図１】本発明の一実施例に係る粒状物収納容器の斜視図であり、図１（ａ）は、容器本体下部の斜視図であり、図１（ｂ）は、天壁の内面側から見たカバーの斜視図である。
【図２】開口部が開いた状態にあるときの容器本体下部の平面図である。
【図３】開口部が閉じた状態にあるときの容器本体下部の断面図である。
【発明を実施するための形態】
【００２１】
以下、図面を参照しながら、本発明の実施形態に係る粒状物収納容器について説明する。本実施形態では、錠菓等の粒状物が収容された粒状物収納容器について説明する。
【００２２】
また、図面においては、適宜３次元直交座標系としてＸＹＺ座標系を示す。ＸＹＺ座標系において、Ｚ軸方向は、図１（ａ）に示す容器本体下部の底壁に対して直交する方向と平行な方向とする。Ｘ軸方向は、図１に示す容器本体下部の短手方向と平行な方向とする。Ｙ軸方向は、Ｘ軸方向とＺ軸方向との両方と直交する方向とする。
【００２３】
また、以下の説明においては、Ｘ軸方向のプラス側（＋Ｘ側）を「右側」と記述し、Ｘ軸方向のマイナス側（−Ｘ側）を「左側」と記述する。また、Ｙ軸方向のプラス側（＋Ｙ側）を「後側」と記述し、Ｙ軸方向のマイナス側（−Ｙ側）を「前側」と記述する。また、Ｚ軸方向のプラス側（＋Ｚ側）を「上側」と記述し、Ｚ軸方向のマイナス側（−Ｚ側）を「下側」と記述する。なお、右側、左側、前側、後側、上側、下側とは、単に説明のために用いられる名称であって、実際の位置関係や方向を限定しない。
【００２４】
＜全体構成＞
図１は、本発明の一実施例に係る粒状物収納容器の斜視図であり、図１（ａ）は、容器本体下部の斜視図であり、図１（ｂ）は、天壁の内面側から見たカバーの斜視図である。本実施形態の粒状物収納容器１は、図１（ａ）及び図１（ｂ）に示すように、容器本体２９を有する。本実施形態では、容器本体２９は、カバー１０と、容器本体下部３０と、を有する。容器本体下部３０は、内部に粒状物８０が収容される収容部３１を有して平面視矩形状である。カバー１０は、容器本体下部３０の上側に開口する本体開口部３３を覆う。収容部３１は、容器本体下部３０の底壁３５と、第１誘導部５５と、第２誘導部６０と、カバー１０の天壁１１とで囲まれる領域である。第１誘導部５５及び第２誘導部６０の詳細は後述する。
【００２５】
なお、粒状物８０は、錠菓の他に、口臭防止用錠、錠剤等であってもよい。また、本実施形態では、粒状物８０は、円板状であって粒状物８０の直径よりも上下方向の大きさが小さい扁平形状をなし、粒状物８０の直径φは７．０ｍｍである。また、粒状物８０は、扁平形状に限るものではなく、球状、多角柱状等の形状としてもよい。以下、構成部材毎に詳細に説明する。
【００２６】
＜カバー１０＞
カバー１０は、図１（ｂ）に示すように、平面視矩形状の天壁１１と、天壁１１の周縁部から突出する環状の第１側壁１３と、を有する。本実施形態では、天壁１１は長方形状である。天壁１１の一つの角部１１ａには第１切り欠き部１１ｂが形成される。本実施形態では、角部１１ａは、天壁１１の右側の前側端部に形成されている。第１切り欠き部１１ｂは、平面視において長方形状である。より詳しくは、第１切り欠き部１１ｂは、カバー１０の一対の第１側壁１３、すなわち長辺を形成する左右一対の第１側壁１３のうち右側の第１側壁１３及び短辺を形成する前後一対の第１側壁１３のうち前側の第１側壁１３の夫々に対して所定の傾斜角θを有する方向に沿って角部１１ａから天壁１１の内側方向へ延びる。本実施形態では、所定の傾斜角θは４５度である。
【００２７】
第１切り欠き部１１ｂは、短辺１１ｃと長辺１１ｄとを有して構成される。短辺１１ｃは、天壁１１の角部１１ａから天壁１１の内側方向へ延び、第１切り欠き部１１ｂの長辺１１ｄは、角部１１ａを形成するカバー１０の一対の第１側壁１３の夫々に対して交差する方向に沿って延びる。本実施形態では、第１切り欠き部１１ｂの長辺１１ｄは、カバー１０の角部１１ａを形成する一対の第１側壁１３の夫々に対して４５度の角度を有して延びる。
【００２８】
第１切り欠き部１１ｂの周縁部には、第１側壁１３と同一方向に突出する第１周壁１１ｅが形成される。第１周壁１１ｅは、短辺１１ｃに沿って形成されて第１側壁１３に繋がり、第１側壁１３と同一高さを有する。第１周壁１１ｅのうち第１切り欠き部１１ｂの長辺１１ｄ側の第１周壁１１ｅ'には、天壁１１から離れる側が開口して天壁１１側へ向かって切り欠かれた側面視四角形状の第１切り欠き開口部１１ｆが形成される。第１切り欠き開口部１１ｆは、長辺１１ｄ側の第１周壁１１ｅ'の長手方向両側の端よりも内側に形成される。第１側壁１３及び第１周壁１１ｅは、容器本体下部３０の嵌合突出部３７ａに嵌合される。嵌合突出部３７ａの詳細は後述する。
【００２９】
＜容器本体下部３０＞
図２は、開口部が開いた状態にあるときの容器本体下部３０の平面図である。図３は、開口部が閉じた状態にあるときの容器本体下部３０の平面図である。容器本体下部３０は、図１（ａ）、図２、図３に示すように、容器本体下部３０の一つの角部３０ａに形成されて粒状物８０の取り出しが可能な取出口４０と、収容部３１内に形成されて収容部３１内から取出口４０側への粒状物８０の通路７５を区画形成する誘導部５０と、を有する。
【００３０】
容器本体下部３０は、平面視矩形状の底壁３５と、底壁３５の周縁部から上方へ突出する環状の第２側壁３７と、を有する。本実施形態では、底壁３５は平面視において長方形状である。底壁３５の左側で且つ下側（以下、左下側と記す）に形成された角部３０ａには、第２切り欠き部３５ａが形成される。第２切り欠き部３５ａは、カバー１０に形成された第１切り欠き部１１ｂと同様の形状を有する。
【００３１】
第２切り欠き部３５ａは、平面視において長方形状である。第２切り欠き部３５ａは、底壁３５の短辺側に沿って延びる第２側壁３７に対して傾斜角θを有した方向に沿って角部３０ａから底壁３５の内側方向へ延びる。本実施形態では、傾斜角θは４５度である。
【００３２】
第２切り欠き部３５ａの周縁部には、上方に突出する第２周壁３５ｂが形成される。第２周壁３５ｂは、第２側壁３７に繋がり、第２側壁３７と同一高さを有する。第２周壁３５ｂのうち第２切り欠き部３５ａの長辺１１ｄ側の第２周壁３５ｂ’には、上側が開口して底壁３５側に延びる第２切り欠き開口部３５ｃが形成される。第２切り欠き開口部３５ｃは、長辺１１ｄ側の第２周壁３５ｂ’の長手方向両側の端よりも内側に形成される。
【００３３】
また、第２側壁３７及び第２周壁３５ｂの上側の夫々の端面の内側には、上方へ突出する嵌合突出部３７ａが形成される。嵌合突出部３７ａは、平面視において、第２側壁３７に沿って長方形状に形成されるとともに、第２周壁３５ｂに沿って屈曲状態に形成される。第２側壁３７及び第２周壁３５ｂと嵌合突出部３７ａとの間には、段部３７ｂが形成される。カバー１０の第１側壁１３は、容器本体下部３０の嵌合突出部３７ａの外面に嵌合され、カバー１０の第１周壁１１ｅは、容器本体下部３０の第２周壁３５ｂの外面に嵌合される。したがって、カバー１０が容器本体下部３０に固定されて、容器本体２９が形成される。
【００３４】
カバー１０が容器本体下部３０に固定されると、第２切り欠き開口部３５ｃは、カバー１０の第１切り欠き開口部１１ｆと組み合わされて、取出口４０の一部を構成する開口部４１が形成される。開口部４１の詳細は後述する。なお、図１（ａ）、図２、図３、図４では、開口部４１の下側が示されている。
【００３５】
（取出口４０）
取出口４０は、図１（ａ）、図２に示すように、カバー１０が容器本体下部３０に固定された状態にあるときの容器本体２９の一つの角部に形成される。すなわち、本実施形態では、取出口４０は、容器本体下部３０側の角部３０ａとカバー１０側の角部１１ａとが嵌合し合う部分に、開口部４１と、蓋部４５と、を有して構成される。
【００３６】
（開口部４１）
開口部４１は、平面視において角部３０ａを形成する容器本体下部３０の一対の側壁３７の夫々に対して交差する方向に沿って開口する。本実施形態では、開口部４１は、容器本体下部３０側の角部３０ａを形成する一対の長辺側及び短辺側の第２側壁３７の夫々、及びカバー１０側の角部１１ａを形成する一対の長辺１１ｄ側及び短辺１１ｃ側の第１側壁１３の夫々に対して４５度の角度α（図１（ｂ）及び図２参照）を有する方向に沿って開口する。開口部４１は、カバー１０が容器本体下部３０に固定された状態で、カバー１０の第１切り欠き開口部１１ｆと容器本体２９の第２切り欠き開口部３５ｃとが同一平面上にて組み合っており、側面視において長方形状の孔となる。
【００３７】
（蓋部４５）
蓋部４５は、図１（ａ）及び図２に示すように、第２切り欠き部３５ａの長辺側の第２周壁３５ｂ’の下側の端部に、例えば薄肉に形成されたヒンジ部４３（図２参照）を介して上下方向に回動可能に接続される。蓋部４５は、有底筒状に形成された蓋部本体４７を有する。蓋部本体４７は、内側に粒状物８０が挿入される挿入穴４８を有する。
【００３８】
蓋部４５は、挿入穴４８の開口４８ａが開口部４１に対向して連通する閉塞位置Ｐｔ（図３参照）と、蓋部４５がヒンジ部４３を支点として容器本体下部３０の底壁３５に対して下側に回動して挿入穴４８の開口４８ａが上側へ向いた開放位置Ｐｈ（図１（ａ）、図２参照）と、の間で回動自在である。
【００３９】
蓋部本体４７は、図１（ａ）及び図３に示すように、平面視においてホームベース形状に形成され、挿入穴４８の開口４８ａ側と反対側は凸状に形成される。蓋部本体４７の幅方向両側の側面には、外側へ突出する突起部４７ａが形成される。この突起部４７ａは、蓋部４５が閉塞位置Ｐｔに移動した場合、突起部４７ａが第２周壁３５ｂに接触して、蓋部４５が第２周壁３５ｂに係止される。
【００４０】
挿入穴４８の開口４８ａは、図２に示すように、平面視において長方形状である。挿入穴４８は、蓋部４５の上側の端面から下側へ延びる。挿入穴４８の大きさは、粒状物８０よりも大きく、挿入穴４８の長辺側の対向する一対の内面の夫々には、図３に示すように、複数のリブ４９が形成される。複数のリブ４９は、蓋部本体４７の幅方向に間隔を有して挿入穴４８の延びる方向に沿って延びる。本実施形態では、一対の内面の夫々に３つのリブ４９が設けられる。
【００４１】
３つのリブ４９のうちの中央部に位置するリブ４９の開口４８ａ側の端部は、図３に示すように、３つのリブ４９のうちの両側に位置する２つのリブ４９の開口４８ａ側の端部よりも挿入穴４８の奥側に位置する。本実施形態では、３つのリブ４９の開口４８ａ側の端部を繋ぐ仮想線Ｌは、粒状物８０の外周面の曲率半径と略同じ曲率半径を有した円弧状に延びる。このため、粒状物８０が挿入穴４８に挿入されると、複数のリブ４９によって粒状物８０が安定に支持される。
【００４２】
また、挿入穴４８の開口４８ａに対する複数のリブ４９の開口４８ａ側の端部の位置は、図１（ａ）及び図３に示すように、粒状物８０が複数のリブ４９で支持された状態で、粒状物８０が挿入穴４８の開口４８ａから突出するように設けられる。本実施形態では、複数のリブ４９の開口４８ａ側の端部は、粒状物８０の直径の約半分に相当する粒状物８０の一部が開口４８ａから突出する位置に設けられる。
【００４３】
蓋部４５の挿入穴４８の中心軸Ｓは、蓋部４５が閉塞位置Ｐｔに移動した状態で、取出口４０の開口部４１の中心軸Ｊと同軸上に位置する。
【００４４】
（誘導部５０）
誘導部５０は、図２及び図３に示すように、収容部３１内に形成されて収容部３１内から取出口４０側への粒状物８０の通路７５を区画形成する。誘導部５０は、平面視において角部３０ａの一方側（前側）の第２側壁３７から収容部３１の内側方向へ向かって凸となるとともに開口部４１側へ延びる第１湾曲部５６を有した第１誘導部５５と、角部３０ａを形成する他方側（左側）の第２側壁３７から収容部３１の内側方向へ向かって突出する第２誘導部６０と、を有する。通路７５は、平面視において第１誘導部５５と第２誘導部６０との間に形成される。本実施形態では、通路７５は、開口部４１側から離れる方向に進むに従って通路７５の幅ｂが大きくなって、通路７５の入り口７５ａにおいて通路７５の幅ｂが最大となる。また、通路７５の幅ｂは、粒状物８０の直径φよりも大きく、かつ粒状物８０の直径φの２倍より小さい。
【００４５】
また、本実施形態では、容器本体下部３０の短辺側となる前側の第２側壁３７の内側に第１誘導部５５が形成され、容器本体下部３０の長辺側となる左側の第２側壁３７の内側に第２誘導部６０が形成される。
【００４６】
（第１誘導部５５）
第１誘導部５５の第１湾曲部５６は、図２及び図３に示すように、角部３０ａの短辺側の第２側壁３７と、第２切り欠き部３５ａの第２周壁３５ｂのうち開口部４１が形成された第２周壁３５ｂとの間に繋がる。第１湾曲部５６は、容器本体２９の底壁３５から上方へ突出した板状である。このため、第１湾曲部５６は、収容部内側方向へ向いた第１湾曲面５６ａを有する。この第１湾曲面５６ａに沿って粒状物８０が接触しながら移動可能である。
【００４７】
第１湾曲部５６は、Ｙ軸方向視において、その頂部５６ｂが開口部４１と同等の位置に配置される。
【００４８】
（第２誘導部６０）
第２誘導部６０は、図２に示すように、平面視において第１湾曲部５６よりも収容部３１の内側に位置して収容部３１の内側方向へ向かって凸となる第２湾曲部６１と、平面視において第２湾曲部６１の取出口４０側と反対側の端部に繋がって後側（取出口４０側と反対側）へ延びるとともに、角部３０ａを形成する他方側（左側）の第２側壁３７に向かって凸となる第３湾曲部６３と、を有する。本実施形態では、第２誘導部６０は、第２湾曲部６１と第３湾曲部６３と直線部６５と、を有する。
【００４９】
（直線部６５）
直線部６５は、図２に示すように、その開口部４１側が平面視において開口部４１側へ向かって延びる。本実施形態では、直線部６５は、一端側が開口部４１を形成する長辺側の第２周壁３５ｂ’のうちの左側の第２側壁３７側に繋がる。直線部６５は、開口部４１の中心軸Ｊに沿って収容部３１内に延びる。本実施形態では、直線部６５は、中心軸Ｊに沿って平行に延びる。
【００５０】
直線部６５は、容器本体下部３０の底壁３５から上方へ突出した板状である。このため、直線部６５は、その中心軸Ｊに沿った方向に対して直交する方向の第１湾曲部５６側を向く平面部６５ａを有する。この平面部６５ａに沿って粒状物８０が接触しながら移動可能である。
【００５１】
直線部６５のＺ軸方向高さは、図１に示すように、嵌合突出部３７ａと同一高さを有する。なお、本実施形態では、直線部６５の軸方向長さｆは、粒状物８０に直径φの約１．８倍の大きさを有する。
【００５２】
（第２湾曲部６１）
第２湾曲部６１は、図２に示すように、一端側が直線部６５の他端側（後側）に繋がり、他端側が容器本体下部３０の左側の第２側壁３７に向かって延びる。第２湾曲部６１は、容器本体下部３０の底壁３５から上方へ突出した板状である。このため、第２湾曲部６１は、収容部３１の内側方向へ向く第２湾曲面６１ａを有する。この第２湾曲面６１ａに沿って粒状物８０が接触しながら移動可能である。
【００５３】
第２湾曲部６１は、Ｙ軸方向視において、その頂部６１ｂが開口部４１と第１湾曲部５６の頂部５６ｂとの間に位置する。このため、容器本体下部３０を横姿勢から縦姿勢に徐々に傾けて開口部４１が下方へ向いた（中心軸Ｊが鉛直線に近づいた）状態になると、第２湾曲面６１ａに沿って移動した粒状物８０は、頂部６１ｂを乗り越えて、第１湾曲面５６ａのうち頂部５６ｂよりも左側の第１湾曲面５６ａに接触して開口部４１側へ移動可能である。
【００５４】
ここで、第２湾曲部６１の曲率半径は、第１湾曲部５６の曲率よりも小さい。このため、第２湾曲部６１の曲がり具合は第１湾曲部５６の曲がり具合よりも大きい。したがって、第２湾曲部６１は、第１湾曲部５６と比較して、より尖った状態になり、第２湾曲部６１の開口部４１側と反対側の曲面の傾きは増大する。本実施形態では、図３に示す第２湾曲部６１の曲率半径ｒは、７．５ｍｍの場合を示している。
【００５５】
第２湾曲部６１の曲率半径ｒを６．０ｍｍより小さくした場合、粒状物８０が少数の際には、粒状物８０が第２湾曲部６１を乗り越えることが困難になる虞が生じる。このため、第２湾曲部６１の曲率半径ｒは６．０ｍｍ以上が好適である。
【００５６】
また、第２湾曲部６１の曲率半径ｒを大きくすると（例えばｒ＝９．０ｍｍ）、多数の粒状物８０が第２湾曲部６１を乗り越え易くなって、通路７５の入り口７５ａが塞がれ詰まり易くなる虞が生じる。そこで、第２湾曲部６１の曲率半径ｒは８．０ｍｍ以下が好適である。よって、第２湾曲部６１の曲率半径ｒは、６．０ｍｍ以上で且つ８．０ｍｍ以下が好適である。
【００５７】
（第３湾曲部６３）
第３湾曲部６３は、図２に示すように、平面視において第２湾曲部６１の開口部４１側と反対側の端部に繋がって後側（開口部４１側と反対側）へ延びるとともに、角部３０ａの左側の第２側壁３７に向かって凸となる。第３湾曲部６３は、容器本体下部３０の底壁３５から上方へ突出した板状である。このため、第３湾曲部６３は、容器本体下部３０の内側方向を向いた第３湾曲面６３ａを有する。この第３湾曲面６３ａに沿って粒状物８０が接触しながら移動可能である。
【００５８】
第３湾曲面６３ａは、角部３０ａの左側の第２側壁３７に向かって凸となっているので、第３湾曲面６３ａは、左側に窪むように形成される。このため、収容部３１内に多数の粒状物８０が存在する場合、第３湾曲部６３によって多数の粒状物８０を溜め込むことができる。このため、第３湾曲部６３よりも開口部４１側と反対側（後側）に溜まる粒状物８０が一気に開口部４１側へ移動する虞を抑制することができる。このため、容器本体２９を横姿勢から縦姿勢に徐々に傾けて開口部４１が下方へ向いた（中心軸Ｊが鉛直線に近づいた）状態にした場合、第３湾曲部６３と第２湾曲部６１とが相まって、第２湾曲部６１よりも後側に溜まる粒状物８０が第２湾曲部６１の頂部６１ｂを乗り越え難くすることができる。
【００５９】
＜本実施形態の作用・効果＞
（収容部３１に多数の粒状物８０が存在する場合の粒状物８０の取り出し）
本実施形態の容器本体２９において、図３に示すように、取出口４０の蓋部４５を閉塞位置Ｐｔに移動させる。開口部４１が蓋部４５で覆われると、容器本体２９を横姿勢から縦姿勢に徐々に傾けて開口部４１が下方へ向いた（中心軸Ｊが鉛直線に近づいた）状態にする。開口部４１が下方へ向いた状態になると、収容部３１内の多数の粒状物８０は、第２湾曲部６１に沿って通路７５の入り口７５ａ側へ誘導される。粒状物８０が入り口７５ａを通る際には、複数の粒状物８０は、中心軸Ｊに沿った方向に連なった状態となって入り口７５ａを通って通路７５内に誘導される。通路７５内に移動した粒状物８０は、直線部６５に沿って開口部４１側に落下するように移動し、最初に通路７５内を移動した粒状物８０が蓋部４５の挿入穴４８内に移動する。挿入穴４８内に粒状物８０が移動すると、蓋部４５を閉塞位置Ｐｔから開放位置Ｐｈ（図１（ａ）参照）に回動させて、蓋部４５の挿入穴４８の開口４８ａを露出させる。このため、蓋部４５から粒状物８０を取り出すことができる。
【００６０】
（収容部３１に少数の粒状物８０が存在する場合の粒状物８０の取り出し）
本実施形態における容器本体２９において、取出口４０の蓋部４５を閉塞位置Ｐｔに移動させる。開口部４１が蓋部４５で覆われると、容器本体２９を横姿勢から縦姿勢に徐々に傾けて開口部４１が下方へ向いた（中心軸Ｊが鉛直線に近づいた）状態にする。開口部４１が下方へ向いた状態になると、収容部３１内の少数の粒状物８０は、通路７５の入り口７５ａ側へ移動する。この際に、少数の粒状物８０は、少なくとも第２湾曲部６１及び第１湾曲部５６のいずれかに接触しながら通路７５の入り口７５ａ側へ誘導される。入り口７５ａ側に移動した粒状物８０は、そのまま入り口７５ａを通って通路７５内に誘導される。通路７５内に移動した粒状物８０は、直線部６５に沿って開口部４１側に落下しながら移動し、最初に通路７５内を移動した粒状物８０が蓋部４５の挿入穴４８内に移動する。蓋部４５内に粒状物８０が移動すると、蓋部４５を開栓位置Ｐｈに回動させて、蓋部４５の挿入穴４８の開口４８ａを露出させる。よって、蓋部４５から粒状物８０を取り出すことができる。
【００６１】
以上説明したように、収容部３１内に多数の粒状物８０が存在する場合、第３湾曲部６３によって多数の粒状物８０を溜め込むことができる。このため、第２湾曲部６１よりも開口部４１側と反対側に溜まる粒状物８０が一気に開口部４１側へ移動する虞を抑制することができるので、通路７５の手前で粒状物８０が詰まる虞を軽減することができる。
【００６２】
また、第２湾曲部６１の曲率半径を第１湾曲部５６の曲率半径よりも小さくすることで、第２湾曲部６１は、第１湾曲部５６と比較して容器本体２９の内側方向により尖った状態になる。このため、第２湾曲部６１は開口部４１側と反対側の曲面の傾きが増大する。よって、容器本体２９の姿勢を徐々に傾けて開口部４１が下方へ向いた（鉛直方向へ向いた）状態になると、第２湾曲部６１よりも開口部４１側と反対側に溜まる粒状物８０が第２湾曲部６１を乗り越え難くすることができる。
【００６３】
また、第２湾曲部６１の開口部４１側の端部は、平面視において直線状に延びる直線部６５に繋がり、直線部６５の開口部４１側は、平面視において開口部４１側へ向かって延びることで、容器本体２９の姿勢を徐々に傾けて開口部４１が下方へ向いた（鉛直方向へ向いた）状態になると、粒状物８０が第１誘導部５５と第２誘導部６０との間の通路７５に移動した場合、粒状物８０は直線部６５に沿って落下しながら移動する。このため、粒状物８０の開口部４１への流入を容易にすることができる。
【００６４】
さらに、直線部６５は、平面視において開口部４１の中心軸Ｊに沿って延びることで、容器本体２９の姿勢を徐々に傾けて開口部４１が下方へ向いた（鉛直方向へ向いた）状態になって、粒状物８０が通路７５に移動した場合、粒状物８０が直線部６５に沿って落下しながら移動すると、粒状物８０の移動方向を開口部４１の中心軸Ｊに沿った方向にすることができる。このため、粒状物８０の開口部４１への流入をより容易にすることができる。
【００６５】
また、容器本体２９は、平面視において長方形状であり、容器本体下部３０の短辺側となる前側の第２側壁３７の内側に第１誘導部５５が形成され、容器本体下部３０の長辺側となる左側の第２側壁３７の内側に第２誘導部６０が形成されることで、第３湾曲部６３によって多数の粒状物８０を溜め込むことができ、粒状物８０が一気に開口部４１側へ移動する虞を抑制することができる。よって、通路７５の手前で粒状物８０が詰まる虞をより軽減可能な粒状物収納容器１を提供することができる。
【００６６】
以上、実施例に沿って本発明の構成とその作用効果について説明したが、本発明の実施の形態は上記実施例に限定されるものではない。
【００６７】
例えば、前述した実施形態では、直線部６５の軸方向長さは、粒状物の直径φの約１．８倍の大きさを有しているが、直線部６５の軸方向長さは、粒状物８０の直径φの２倍以上であってもよい。また、開口部４１を塞ぐ蓋部４５は、ヒンジ部４３を介して接続されたが、蓋部４５は開口部４１に着脱可能に設けられてもよい。さらに、蓋部４５には１つの粒状物８０が挿入される場合を示したが、蓋部４５は２つ以上の粒状物８０が挿入可能なものでもよい。挿入穴４８の深さをより深くする。
【産業上の利用可能性】
【００６８】
本発明の粒状物収納容器は、取出口に連通する通路が詰まりにくいものであり、錠菓、口臭防止用錠、薬等を収納する容器の分野で幅広い展開が期待される。
【符号の説明】
【００６９】
１  粒状物収納容器
１０  カバー
１１    天壁
１１ａ，３０ａ  角部
１１ｂ  第１切り欠き部
１１ｃ  短辺
１１ｄ  長辺
１１ｅ，１１ｅ’  第１周壁
１１ｆ  第１切り欠き開口部
１３  第１側壁
２９  容器本体
３０  容器本体下部
３１  収容部
３３  本体開口部
３５  底壁
３５ａ  第２切り欠き部
３５ｂ、３５ｂ’  第２周壁
３５ｃ  第２切り欠き開口部
３７  第２側壁（側壁）
３７ａ  嵌合突出部
３７ｂ  段部
４０  取出口
４１  開口部
４３  ヒンジ部
４５  蓋部
４７  蓋部本体
４７ａ  突起部
４８  挿入穴
４８ａ  開口
４９  リブ
５０  誘導部
５５  第１誘導部
５６  第１湾曲部
５６ａ  第１湾曲面
５６ｂ、６１ｂ  頂部
６０  第２誘導部
６１  第２湾曲部
６１ａ  第２湾曲面
６３  第３湾曲部
６３ａ  第３湾曲面
６５  直線部
６５ａ  平面部
７５  通路
７５ａ  入り口
８０  粒状物
Ｊ  中心軸
【図１】
2020070071.tif 000003
【図２】
2020070071.tif 000004
【図３】
2020070071.tif 000005